【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
下部ユニットと、この下部ユニットに対して分離可能に構成された上部ユニットとを備え、
この上部ユニットは、筐体と、この筐体の内部に配置され複数のリールを有するリールユニットと、演出ユニットと、前記リールユニットを制御する遊技制御基板および前記演出ユニットを制御する演出制御基板とを備え、
前記筐体は、前記遊技制御基板および前記演出制御基板のそれぞれに電気的に接続された接続部材を備え、
前記下部ユニットは、接地された接地部材を備え、
前記上部ユニットを前記下部ユニットに固定するとともに、前記接続部材および前記接地部材を電気的に接続する固定部材を備えたことを特徴とする遊技装置。
【請求項２】
請求項１に記載された遊技装置において、
前記固定部材は、略棒状に形成されるとともに少なくとも一端側に前記筐体の上下方向およびこの上下方向と略直交する方向への移動を阻止する雄型係合部を備え、前記接続部材は、前記雄型係合部が係合される雌型係合部を備えていることを特徴とする遊技装置。
【請求項３】
請求項２に記載された遊技装置において、
前記雄型係合部は、おねじであり、前記雌型係合部は、めねじであることを特徴とする遊技装置。
【請求項４】
請求項２または請求項３に記載された遊技装置において、
前記固定部材の他端側には、つまみ部が設けられていることを特徴とする遊技装置。
【請求項５】
請求項１ないし請求項４のいずれかに記載された遊技装置において、
前記接地部材は、前記固定部材の前記上部ユニットから離隔する方向への離脱を阻止する離脱阻止部を備えていることを特徴とする遊技装置。
【請求項６】
請求項１ないし請求項５のいずれかに記載された遊技装置において、
前記下部ユニットは、前記上部ユニットを所定の方向に案内するガイド部を備え、
前記接地部材は、前記ガイド部を含み構成されていることを特徴とする遊技装置。
【手続補正２】
【補正対象書類名】明細書
【補正対象項目名】０００９
【補正方法】変更
【補正の内容】
【０００９】
本発明の遊技装置は、下部ユニットと、この下部ユニットに対して分離可能に構成された上部ユニットとを備え、この上部ユニットは、筐体と、この筐体の内部に配置され複数のリールを有するリールユニットと、演出ユニットと、前記リールユニットを制御する遊技制御基板および前記演出ユニットを制御する演出制御基板とを備え、
前記筐体は、前記遊技制御基板および前記演出制御基板のそれぞれに電気的に接続された接続部材を備え、前記下部ユニットは、接地された接地部材を備え、前記上部ユニットを前記下部ユニットに固定するとともに、前記接続部材および前記接地部材を電気的に接続する固定部材を備えたことを特徴とする。
【手続補正３】
【補正対象書類名】明細書
【補正対象項目名】００１０
【補正方法】変更
【補正の内容】
【００１０】
この発明によれば、リールユニットなどが備えられた上部ユニットを下部ユニットから分離し、別のリールユニットなどが備えられた上部ユニットを下部ユニットに取り付けることによりリールユニットなどの入れ替え作業を行える。ここで、上部ユニットの筐体には、リールユニットを制御する遊技制御基板および演出ユニットを制御する演出制御基板に電気的に接続された接続部材が設けられている。また、下部ユニットには、接地された接地部材が設けられている。そして、固定部材で、上部ユニットを下部ユニットに固定するとともに、接続部材および接地部材を電気的に接続する。このように、固定部材に、上部ユニットを下部ユニットに固定する機能、および、接続部材および接地部材を電気的に接続する機能を持たせているので、上部ユニットを下部ユニットに固定する作業を行った際に、接続部材に電気的に接続された前記各制御基板は接地部材を介して接地される。そのため、上部ユニットに設けられた制御基板の接地作業が容易に行える。また、固定部材に、上述した２つの機能を持たせているので、これらの機能を有する部材を別々に設ける必要がなく、遊技装置の構成が簡略になる。
【手続補正４】
【補正対象書類名】明細書
【補正対象項目名】００１１
【補正方法】変更
【補正の内容】
【００１１】
また、前記固定部材は、略棒状に形成されるとともに少なくとも一端側に前記筐体の上下方向およびこの上下方向と略直交する方向への移動を阻止する雄型係合部を備え、前記接続部材は、前記雄型係合部が係合される雌型係合部を備えている構成が好ましい。
この発明では、固定部材に、略棒状に形成されるとともに少なくとも一端側に上部ユニットの筐体の上下方向およびこの上下方向と略直交する方向への移動を阻止する雄型係合部を備え、接続部材に、固定部材の雄型係合部が係合される雌型係合部を備えている。これにより、雌型係合部に雄型係合部を係合させるだけの簡単な構成で、上部ユニットが下部ユニットに固定されかつ接続部材が接地部材に電気的に接続される。そのため、上部ユニットの制御基板の接地作業がより容易に行える。
【手続補正５】
【補正対象書類名】明細書
【補正対象項目名】００１２
【補正方法】変更
【補正の内容】
【００１２】
さらに、前記雄型係合部は、おねじであり、前記雌型係合部は、めねじである構成が好ましい。
この発明では、雄型係合部をおねじで構成し、雌型係合部をめねじで構成しているので、おねじをめねじに螺合させるだけの簡単な方法で、上部ユニットが下部ユニットに固定されかつ接続部材が接地部材に電気的に接続される。そのため、上部ユニットの制御基板の接地作業がより容易に行える。また、雄型係合部および雌型係合部を汎用されているおねじおよびめねじで構成したので、これらの入手が容易となり遊技装置のコスト削減を図れる。
【手続補正６】
【補正対象書類名】明細書
【補正対象項目名】００１３
【補正方法】変更
【補正の内容】
【００１３】
また、前記固定部材の他端側には、つまみ部が設けられている構成が好ましい。
この発明では、固定部材の他端側につまみ部を設けているので、つまみ部をつまんで固定部材を操作でき、上部ユニットの制御基板の接地作業をより容易に行える。
【手続補正７】
【補正対象書類名】明細書
【補正対象項目名】００１４
【補正方法】変更
【補正の内容】
【００１４】
さらに、前記接地部材は、前記固定部材の前記上部ユニットから離隔する方向への離脱を阻止する離脱阻止部を備えている構成が好ましい。
この発明では、接地部材に固定部材の上部ユニットからの離隔する方向への離脱を阻止する離脱阻止部を備えているから、上部ユニットを下部ユニットを取り外した際にも離脱阻止部により固定部材が接地部材の所定の位置に保持される。そのため、上部ユニットの交換作業の際に固定部材を紛失する心配がなくなり、上部ユニットの制御基板の接地作業がより容易に行える。
【手続補正８】
【補正対象書類名】明細書
【補正対象項目名】００１５
【補正方法】変更
【補正の内容】
【００１５】
また、前記下部ユニットは、前記上部ユニットを所定の方向に案内するガイド部を備え、
前記接地部材は、前記ガイド部を含み構成されている構成が好ましい。
この発明では、下部ユニットに上部ユニットを所定の方向に案内するガイド部を設けているので、このガイド部により上部ユニットを所定の方向へ容易に案内することができ、上部ユニットを下部ユニットに固定する作業すなわち上部ユニットの制御基板の接地作業をより容易に行える。また、接地部材は、ガイド部を含み構成されているので、これらを別々の部材で構成する必要がなく部品数を削減できる。
【手続補正９】
【補正対象書類名】明細書
【補正対象項目名】００１９
【補正方法】変更
【補正の内容】
【００１９】
［遊技装置の構成］
遊技装置Ｂは、図２および図３に示すように、上部ユニットＢ１と、下部ユニットＢ２と、これら上部ユニットＢ１および下部ユニットＢ２を分離可能かつ一体的に連結して固定可能とする分離連結手段Ｂ３とを備えている。
【手続補正１０】
【補正対象書類名】明細書
【補正対象項目名】００４９
【補正方法】変更
【補正の内容】
【００４９】
締結手段Ｂ３４は、下部ユニットＢ２の天板２２０およびレール部材２２２の延長部２２２Ｃに設けられた挿通孔から上部ユニットＢ１の底板１３０に設けられた挿通孔３２１を通って挿通された固定部材としての連結ボルト３２２と、上部ユニットＢ１の底板１３０上側から連結ボルト３２２に螺合される雌型係合部としてのナット部材３２３とから構成されている。連結ボルト３２２およびナット部材３２３は、それぞれ導電性を有する金属によって構成されている。ここで、ナット部材３２３は、底板１３０に接触するように設けられている。また、上述したように底板１３０は、基板取付フレーム１９１，２０１とそれぞれ導通接続されている。つまり、ナット部材３２３は、基板取付フレーム１９１，２０１とそれぞれ導通接続される。なお、前記図示しない導通部材、基板取付フレーム１９１，２０１、金属板１１６，１１７、摺動脚部材１３２、底板１３０、および、ナット部材３２３にて、本実施形態の接続部材が構成されている。レール部材２２２の延長部２２２Ｃには、図１２に示すように、離脱阻止部としてのめねじ３２４が形成されている。連結ボルト３２２には、略棒状の軸部３２２Ｃの上部にナット部材３２３およびめねじ３２４に螺合する雄型係合部としてのおねじ３２２Ａが形成されているとともに、軸部３２２Ｃの下端部につまみ３２２Ｂが設けられている。
【手続補正１１】
【補正対象書類名】明細書
【補正対象項目名】００５８
【補正方法】変更
【補正の内容】
【００５８】
（２）分離連結手段Ｂ３は、上部ユニットＢ１の底板１３０に設けられた摺動脚部材１３２と、下部ユニットＢ２の天板２２０に設けられ摺動脚部材１３２を下部ユニットＢ２の前後方向へ移動可能に案内するレール部材２２２とを備えているから、上部ユニットＢ１を下部ユニットＢ２に押し込んで固定する際、あるいは、上部ユニットＢ１を下部ユニットＢ２から引き出して分離する際、これらの作業を容易にかつ安全に行うことができる。
たとえば、上部ユニットＢ１を下部ユニットＢ２に固定する際には、下部ユニットＢ２のレール部材２２２に上部ユニットＢ１の摺動脚部材１３２が嵌り込むように、下部ユニットＢ２に対して上部ユニットＢ１を位置合わせしたのち、上部ユニットＢ１を下部ユニットＢ２の後方へ押し込んでいくだけで、上部ユニットＢ１を下部ユニットＢ２の上に組み込むことができる。さらに、上部ユニットＢ１が定位置まで押し込まれると、上部ユニットＢ１が下部ユニットＢ２のストッパ部材２２３に当接して、上部ユニットＢ１のそれ以上の押し込みが阻止されるから、上部ユニットＢ１を下部ユニットＢ２の定位置に位置決めすることができる。従って、固定作業を容易にかつ安全に行うことができる。しかも、上部ユニットＢ１を下部ユニットＢ２に対してスライドさせることで、固定、分離が行えるので、構造体Ａで仕切られた枠空間内に上部ユニットＢ１および下部ユニットＢ２が収納配置されているように状況にあっても、これらの作業を容易にかつ安全に行うことができる。
【手続補正１２】
【補正対象書類名】明細書
【補正対象項目名】００６１
【補正方法】変更
【補正の内容】
【００６１】
（５）上部ユニットＢ１の筐体Ｂ１１には、遊技制御基板１９２および演出制御基板２０２にそれぞれ電気的に接続された接続部材が設けられている。この接続部材は、図示しない導通部材、基板取付フレーム１９１，２０１、金属板１１６，１１７、摺動脚部材１３２、底板１３０、および、ナット部材３２３にて構成されている。また、下部ユニットＢ２には、接地された接地部材が設けられている。この接地部材は、レール部材２２２および金属板２１３から構成されている。そして、連結ボルト３２２を下部ユニットＢ２の天板２２０およびレール部材２２２の延長部２２２Ｃに設けられた挿通孔を挿通させて、おねじ３２２Ａをナット部材３２３に螺合させる。これにより、上部ユニットＢ１が下部ユニットＢ２に固定されるとともに、接続部材および接地部材が電気的に接続される。すなわち、上部ユニットＢ１が下部ユニットＢ２に固定されるとともに、接続部材に電気的に接続された各制御基板１９２，２０２が接地される。このように、連結ボルト３２２に、上部ユニットＢ１を下部ユニットＢ２に固定する機能、および、接続部材および接地部材を電気的に接続する機能を持たせたので、上部ユニットＢ１を下部ユニットＢ２に固定する作業を行うだけで、接続部材に電気的に接続された各制御基板１９２，２０２を接地できる。そのため、上部ユニットＢ１に設けられた各制御基板１９２，２０２の接地作業を容易にできる。また、連結ボルト３２２に上述した２つの機能を持たせているので、これらの機能を有する部材を別々に設ける必要がなく、遊技装置Ｂの構成を簡略化できる。連結ボルト３２２のおねじ３２２Ａをナット部材３２３に螺合させるだけの簡単な方法で、各制御基板１９２，２０２の接地作業ができる。そのため、この接地作業をより容易にできる。
【手続補正１３】
【補正対象書類名】明細書
【補正対象項目名】００６２
【補正方法】変更
【補正の内容】
【００６２】
（６）汎用されているおねじ３２２Ａを有する連結ボルト３２２およびナット部材３２３を用いて、上部ユニットＢ１を下部ユニットＢ２に固定するとともに各制御基板１９２，２０２を接地する構成としているので、これらの部材を容易に入手でき遊技装置Ｂのコストを削減できる。
【手続補正１４】
【補正対象書類名】明細書
【補正対象項目名】００８１
【補正方法】変更
【補正の内容】
【００８１】
固定部材として連結ボルト３２２を採用したが、これに限らず例えば導電性を有する材料により形成されたバイスを採用し、上部ユニットＢ１に下部ユニットＢ２を固定するとともに接続部材および接地部材を電気的に接続してもよい。このようにすれば、接続部材としてナット部材３２３を設ける必要がなくなり、遊技装置Ｂの部品数を減らすことができる。
【手続補正１５】
【補正対象書類名】明細書
【補正対象項目名】００８３
【補正方法】変更
【補正の内容】
【００８３】
連結ボルト３２２につまみ部３２２Ｂを設けたが、このつまみ部３２２Ｂの代わりに連結ボルト３２２の端面にドライバや六角レンチが嵌合可能な嵌合部を設け、ドライバや六角レンチを用いて連結ボルト３２２をナット部材３２３を螺合させる構成としてもよい。このようにすれば、例えば固定作業をし難い場所に連結ボルト３２２が配設された構成においても、各制御基板１９２，２０２の接地作業を容易にできる。
【手続補正１６】
【補正対象書類名】明細書
【補正対象項目名】００９１
【補正方法】変更
【補正の内容】
【００９１】
Ｂ…遊技装置
Ｂ１…上部ユニット
Ｂ１１…筐体
Ｂ１２…リールユニット
Ｂ１３…演出ユニット
Ｂ２…下部ユニット
１１６…接続部材としても機能する金属板
１１７…接続部材としても機能する金属板
１３０…接続部材としても機能する底板
１３２…接続部材としても機能する摺動脚部材
１７２…リール
１９１…接続部材としても機能する基板取付フレーム
１９２…遊技制御基板
２０１…接続部材としても機能する基板取付フレーム
２０２…演出制御基板
２１３…接地部材としても機能する金属板
２２２…接地部材としても機能するレール部材
２２２Ａ…ガイド部
３２２…固定部材としての連結ボルト
３２２Ａ…雄型係合部としてのおねじ
３２２Ｂ…つまみ部
３２３…接続部材としても機能する雌型係合部としてのナット部材
３２４…離脱阻止部としてのめねじ